(57)【特許請求の範囲】
【請求項１】
マルチメディアデータの出力モードを含む複数の動作モードを有する表示制御端末において、
前記出力モードと他の動作モードの実行制御を並行して行うモード制御手段と、
このモード制御手段の制御に従って、前記出力モードによる出力中に前記他の動作モードにおける操作画面を表示する表示手段と、
前記操作画面上において前記出力モードが動作中であることを示す指標の表示が可能か否かを判断する判断手段と、
この判断手段により表示が可能と判断されると、前記操作画面上で前記指標を表示するよう制御する表示制御手段と、
を備えることを特徴とする表示制御端末。
【請求項２】
前記指標を指示する指示手段を更に備え、
この指示手段によって前記指標が指示されると、前記表示制御手段は、前記指標に対応する操作メニューを前記操作画面上に表示させることを特徴とする請求項１に記載の表示制御端末。
【請求項３】
前記マルチメディアデータとは音楽データであり、
前記表示制御手段は、前記操作メニューとして、出力される音楽データを制御する制御メニューを表示することを特徴とする請求項２に記載の表示制御端末。
【請求項４】
前記マルチメディアデータとは画像データであり、
前記表示制御手段は、前記操作メニューを表示する際に、前記操作画面上にサブ画面を形成し、前記操作メニューとともに前記画像データを縮小させてサブ画面上に表示させることを特徴とする請求項２に記載の表示制御端末。
【請求項５】
放送受信手段を更に備え、
前記画像データとは、この放送受信手段によって受信された映像データであり、前記操作メニューとして、前記放送受信手段を制御する制御メニューを表示することを特徴とする請求項４に記載の表示制御端末。
【請求項６】
前記指標とはショートカットアイコンであることを特徴とする請求項１乃至５の何れかに記載の表示制御端末。
【請求項７】
マルチメディアデータの出力モードと他の動作モードの実行制御を並行して行うモード制御ステップと、
このモード制御ステップの制御に従って、前記出力モードによる出力中に前記他の動作モードにおける操作画面を表示させる表示ステップと、
前記操作画面上において前記出力モードが動作中であることを示す指標の表示が可能か否かを判断する判断ステップと、
前記判断ステップにより表示が可能と判断されると、前記操作画面上で前記指標を表示するよう制御する表示制御ステップと、
からなることを特徴とする表示制御方法。
【請求項８】
コンピュータを、
マルチメディアデータの出力モードと他の動作モードの実行制御を並行して行うモード制御手段、
このモード制御手段の制御に従って、前記出力モードによる出力中に前記他の動作モードにおける操作画面を表示させる表示手段、
前記操作画面上において前記出力モードが動作中であることを示す指標の表示が可能か否かを判断する判断手段、
前記判断手段によって表示が可能と判断されると、前記操作画面上で前記指標を表示するよう制御する表示制御手段、
として機能させることを特徴とする表示制御プログラム。
【発明の詳細な説明】
【技術分野】
【０００１】
本発明は、複数の動作モードを有する表示制御端末、複数の動作モードの並行処理時における操作画面の表示制御方法及び表示制御プログラムに関する。
【背景技術】
【０００２】
従来から、マルチメディアデータの再生として、音楽再生、テレビジョン（ＴＶ）放送映像及び音の再生と無線通信による通話等の個別の動作モードを並行して起動することができるマルチタスク制御方法が、携帯電話機、モバイルＡＶ機器等に応用されている（例えば、特許文献１参照）。この方法では、音楽再生に係るタスク、ＴＶ映像の受信に係るタスク等の各タスクの命令数を調整することにより、プロセッサの処理能力の範囲内でマルチタスク処理を可能としている。
【特許文献１】特開２００４−７８８８９号公報
【発明の開示】
【発明が解決しようとする課題】
【０００３】
従来のマルチタスク処理では、例えば音楽を再生しながら例えばメールモードに移行し、メール文の入力を行うといったことはできるものの、メール文の入力中に音楽の音量を下げたい、曲順を変えたい等の再生条件の変更操作を行う場合には、一旦メールモードを終了し、音楽再生モードを起動して変更操作を行わなければならなかった。
【０００４】
これでは、ユーザの操作が煩雑となるとともに、それまで入力していたメール文のデータが破棄されるため、入力操作が無駄になるという問題があった。
【０００５】
本発明の課題は、音声出力モード等のマルチメディアデータの出力モードと他の動作モードを並行処理する際に、ユーザの操作性を向上させることである。
【課題を解決するための手段】
【０００６】
請求項１に記載の発明は、
マルチメディアデータの出力モードを含む複数の動作モードを有する表示制御端末において、
前記出力モードと他の動作モードの実行制御を並行して行うモード制御手段と、
このモード制御手段の制御に従って、前記出力モードによる出力中に前記他の動作モードにおける操作画面を表示する表示手段と、
前記操作画面上において前記出力モードが動作中であることを示す指標の表示が可能か否かを判断する判断手段と、
この判断手段により表示が可能と判断されると、前記操作画面上で前記指標を表示するよう制御する表示制御手段と、
を備えることを特徴とする。
【０００７】
請求項２に記載の発明は、請求項１に記載の表示制御端末において、
前記指標を指示する指示手段を更に備え、
この指示手段によって前記指標が指示されると、前記表示制御手段は、前記指標に対応する操作メニューを前記操作画面上に表示させることを特徴とする。
【０００８】
請求項３に記載の発明は、請求項２に記載の表示制御端末において、
前記マルチメディアデータとは音楽データであり、
前記表示制御手段は、前記操作メニューとして、出力される音楽データを制御する制御メニューを表示することを特徴とする。
【０００９】
請求項４に記載の発明は、請求項２に記載の表示制御端末において、
前記マルチメディアデータとは画像データであり、
前記表示制御手段は、前記操作メニューを表示する際に、前記操作画面上にサブ画面を形成し、前記操作メニューとともに前記画像データを縮小させてサブ画面上に表示させることを特徴とする。
【００１０】
請求項５に記載の発明は、請求項４に記載の表示制御端末において、
放送受信手段を更に備え、
前記画像データとは、この放送受信手段によって受信された映像データであり、前記操作メニューとして、前記放送受信手段を制御する制御メニューを表示することを特徴とする。
【００１２】
請求項６に記載の発明は、請求項１乃至５の何れかに記載の表示制御端末において、
前記指標とはショートカットアイコンであることを特徴とする。
【００１３】
請求項７に記載の発明は、表示制御方法であって、
マルチメディアデータの出力モードと他の動作モードの実行制御を並行して行うモード制御ステップと、
このモード制御ステップの制御に従って、前記出力モードによる出力中に前記他の動作モードにおける操作画面を表示させる表示ステップと、
前記操作画面上において前記出力モードが動作中であることを示す指標の表示が可能か否かを判断する判断ステップと、
前記判断ステップにより表示が可能と判断されると、前記操作画面上で前記指標を表示するよう制御する表示制御ステップと、
からなることを特徴とする。
【００１４】
請求項８に記載の発明は、表示制御プログラムであって、コンピュータを、
マルチメディアデータの出力モードと他の動作モードの実行制御を並行して行うモード制御手段、
このモード制御手段の制御に従って、前記出力モードによる出力中に前記他の動作モードにおける操作画面を表示させる表示手段、
前記操作画面上において前記出力モードが動作中であることを示す指標の表示が可能か否かを判断する判断手段、
前記判断手段によって表示が可能と判断されると、前記操作画面上で前記指標を表示するよう制御する表示制御手段、
として機能させることを特徴とする。
【発明の効果】
【００１５】
本発明によれば、マルチメディアデータの出力モードと他の動作モードを並行処理する際に、ユーザの操作性を向上させることができる。
【発明を実施するための最良の形態】
【００１９】
〈第１実施形態〉
第１実施形態は、本発明を携帯電話機に適用した場合について詳述する。具体的には、音楽再生を行いながら他の動作モードを起動している場合に、他の動作モードの操作画面上において音楽再生中であることを示すＭアイコンを表示し、このＭアイコンにより他の動作モードにおいても音楽再生に係る指示操作を行うことについて説明する。
【００２０】
まず、構成を説明する。
図１に、第１実施形態における携帯電話機１ａの外観を示す。
携帯電話機１ａは、その側面にコネクタ２２を備えており、このコネクタ２２を介してリモートコントローラ（以下、リモコンと略す）２３を接続可能に構成されている。
【００２１】
リモコン２３は、携帯電話機１ａにおける音楽再生や通話操作等のリモート操作を行うためのコントローラであり、その本体部分には各種操作キー２３２が設けられている。また、リモコン２３は受話、送話が可能に構成されており、その本体に送話用のマイク２３５が設けられているとともに受話用のイヤホン２３３、２３４を接続可能に構成されている。受話時には携帯電話機１ａから入力される音信号をイヤホン２３３、２３４側に送出し、送話時にはマイク２３５から入力される音信号を携帯電話機１ａに送出する機能を担っている。
【００２２】
図２を参照して、携帯電話機１ａについて説明する。
図２（ａ）は正面図、図２（ｂ）は側面図、図２（ｃ）は背面図である。
携帯電話機１ａはいわゆる折り畳み式の携帯電話機であり、図２（ａ）〜（ｃ）に示すように、本体がメイン表示部１９０が搭載されたディスプレイ部分とキー入力部１７が搭載されたキー操作部分とに分割され、その中央部に設けられた連結機構により折り畳み可能に構成されている。
【００２３】
携帯電話機１ａを開いたその正面には、図２（ａ）に示すように、メイン表示部１９０、キー入力部１７が設けられており、メイン表示部１９０の上部には送話マイク７が設けられている。メイン表示部１９０は、操作画面や画像等を表示するディスプレイであり、ユーザが携帯電話機１ａの操作時に主に使用するディスプレイである。
【００２４】
また、キー入力部１７は、オフフックキー１７１、オンフックキー１７４、数字、文字等の入力を行うためのテンキー１７５の他、カーソル操作を行うための十字キー１７２、決定操作を行うための決定キー１７３、所定の動作モードに対応するモードキー１７６、ショートカットキー１７７等の各種機能キーを備えている。キー入力部１７の下部には受話スピーカ７が設けられている。
【００２５】
携帯電話機１ａの側面には、図２（ｂ）に示すように上述したコネクタ２２が設けられており、このコネクタ２２を介してリモコン２３に接続可能である。また、その下部には脱着可能な外部記録媒体を接続するためのデータ通信端子２０が設けられている。
【００２６】
携帯電話機１ａの背面には、図２（ｃ）に示すようにサブ表示部１９１及び音楽再生用のスピーカ１６１、１６２が設けられている。サブ表示部１９１は、携帯電話機１ａを折り畳んだ際に補助的に使用されるディスプレイである。
【００２７】
図３に、携帯電話機１ａの機能的構成を示す。
図３に示すように、携帯電話機１ａは、アンテナ２を有する無線部３、無線処理部４、音声処理部５、受話スピーカ７、送話マイク７、制御部８、報知処理部９、システムメモリ１１、ユーザメモリ１２、プログラムメモリ１３、メディア処理部１４、ＡＭＰ（Amplifier）１５、スピーカ１６１、１６２、キー入力部１７、ドライバ１８、メイン表示部１９０、データ通信端子２０、コネクタ２２を備えて構成されており、各部はシステムバス１０を介して接続されている。
【００２８】
無線部３は、アンテナ２を介して無線通信網（無線電話網を含む）上の無線基地局と接続して、音声通話のメールデータ等の無線通信を行う。無線部３は、受信時には受信した無線信号（ＲＦ（Radio Frequency）帯の信号）をＩＦ（Intermediate Frequency）帯に周波数変換し、復調可能なレベルまで増幅した後、無線信号処理部４に出力する。また、送信時には無線処理部４から入力された変調信号をＲＦ帯まで周波数変換して無線信号とし、アンテナ２を介して送信する。無線基地局との間で送受信される無線信号の変復調方式としては、ＣＤＭＡ（Code Division Multiple Access）方式、ＧＳＭ（Global System for Mobile communication）方式、ＰＤＣ（Personal Digital Cellular）方式等の何れの方式を適用することとしてもよい。
【００２９】
無線処理部４は、ＣＥＬＰ（Code-Excided Linear Prediction）系ボコーダ、音声信号処理回路及びパケットデータ処理回路等を備えている。受信時には、無線部３により受信された無線信号をデコードして音声処理部５へ出力し、送信時には音声処理部５から入力された送話データや制御部８から入力されたパケットデータ等をエンコードして無線部３へ出力する。
【００３０】
音声処理部５は、通話音声に係る処理を行う。受話時には無線処理部４によりデコードされた受信データに基づいて音声信号を生成し（復調し）、受話スピーカ７に出力する。受話スピーカ７は音声処理部５から入力される音声信号に基づいて音声出力を行う。
一方、送話マイク６は音声振動に基づく音声信号を生成し、音声処理部５に出力する。音声処理部５は、送話マイク６から入力された音声信号のデジタル変換を行い、送信データとして無線処理部４へ出力する。
【００３１】
制御部８は、ＣＰＵ（Central Processing Unit）、ＲＡＭ（Random Access Memory）等から構成され、システムメモリ１１、プログラムメモリ１３に記憶されている各制御プログラムを読み出して、この制御プログラムとの協働により、各種演算を行う或いは各部の動作を集中制御する。
【００３２】
制御部８は、音楽再生モード、メールモード、通話モード、インターネットモード等の携帯電話機１ａの各部により実現される複数の動作モードのうち、音楽再生モードと他の動作モードとを並行して実行するためのタスク管理を行う。具体的には、並行処理する各タスク（音楽再生モードに係るタスク、他の動作モードに係るタスク）に割り当てるＣＰＵ資源を一定時間毎に割り振ることにより、各動作モードのタスク処理を並行して行う。
【００３３】
報知処理部９は、音源ＩＣ（Integrated Circuit）等を備え、着信音（単音、メロディ音含む）、アラーム音等の報知音の出力制御を行う。音源ＩＣは報知音の音源データを記憶し、その音源データに基づく音信号を生成してＡＭＰ１５に出力する。ＡＭＰ１５では報知処理部９から入力される音信号が増幅され、スピーカ１６１、１６２により報知音の音出力が行われる。
【００３４】
システムメモリ１１は、不揮発性のＲＯＭ（Read Only Memory）であり、オペレーションプログラム、通話プログラム等の携帯電話機１ａの基本動作に係る制御プログラムの他、当該制御プログラムの実行に必要なパラメータやデータ等を記憶している。
【００３５】
ユーザメモリ１２は、フラッシュＲＯＭ等から構成され、音楽データ、アドレス帳データ、メールデータ等、ユーザにより使用される各種データを記憶する。
【００３６】
プログラムメモリ１３は、フラッシュＲＯＭ等から構成され、メールプログラム、音楽再生プログラム等の、携帯電話機１ａが有する複数の動作モードに係るアプリケーションプログラム及びプログラムの実行に必要なパラメータ、データ等を記憶している。
【００３７】
メディア処理部１４は、入力される音楽データのアナログ変換を行って音信号を生成し、ＡＭＰ１５に出力する。ＡＭＰ１５は、メディア処理部１４から入力された音信号を増幅し、スピーカ１６１、１６２に出力する。スピーカ１６１、１６２は、入力された音信号に基づいて音出力を行い、音楽を再生する。
【００３８】
キー入力部１７は、上述したオンフックキー１７１、十字キー１７２、決定キー１７３、オフフックキー１７４、テンキー１７５、モードキー１７６、ショートカットキー１７７等の各種機能キーを備えており、これら各キー１７１〜１７７の操作に応じた操作信号を生成して制御部８に出力する。
【００３９】
ドライバ１８は、制御部８の制御に従って表示データのラスタライズを行い、メイン表示部１９０、サブ表示部１９１の表示駆動を行う。メイン表示部１９０、サブ表示１９１については上述したので、ここでは詳細な説明を省略する。
【００４０】
データ通信端子２０は、外部記録媒体２１との接続インターフェイスであり、携帯電話機１ａと外部記録媒体２１との間で外部記録媒体２１内のデータのやりとりを仲介する。
【００４１】
コネクタ２２は、携帯電話機１ａとリモコン２３との間でデータの送受信を仲介する。例えば、制御部８により入力された受話音声データや音楽データをリモコン２３に出力し、リモコン２３から入力された送話音声データを制御部８の制御に従って音声処理部５に出力する。
【００４２】
リモコン２３は、内部に入出力制御部２３１を備えている他、上述したリモコン操作部２３２、イヤホン２３３、２３４、マイク２３５を備えて構成されている。
入出力制御部２３１は、リモコン操作部２３２から入力される操作信号に応じて、イヤホン２３３、２３４、マイク２３５に対する音信号の入出力を制御するものである。例えば、マイク２３５から入力された送話音声信号からデジタル変換により送話音声データを生成し、コネクタ２２に出力する。また、コネクタ２２から入力された受話音声データや音楽データを変調して音信号を生成し、イヤホン２３３，２３４に出力する。
【００４３】
次に、携帯電話機１ａの動作について説明する。
図４は、携帯電話機１ａにより実行される表示制御処理を説明するフローチャートである。この表示制御処理は、制御部８とプログラムメモリ１３に記憶されている表示制御プログラムとの協働により実現されるソフトウェア処理である。
説明の前提として、この表示制御処理は音楽再生用のアプリケーションにより音楽再生処を開始した後に実行され、処理の開始時には既にスピーカ１６１、１６２又はイヤホン２３３、２３４により音楽が再生出力されているものとする。
【００４４】
図４に示す表示制御処理では、キー入力部１７から入力される操作信号に基づき、制御部８において音楽再生中にモードキー１７６が操作されたか否か、その操作の有無が判別される（ステップＳ１）。そして、モードキー１７６が操作されると（ステップＳ１；Ｙ）、制御部８の制御により、音楽再生を継続しながら、メイン表示部１９０上に図５（ａ）に示す待受画面ｄ１が表示され、この待受画面ｄ１上にＭアイコンｃ１が表示される（ステップＳ２）。このＭアイコンｃ１は現在音楽再生中であることを示す指標表示であり、予め音楽再生の操作に係る操作メニューが対応付けられている操作用のアイコンである。
【００４５】
次に、制御部８によりこの待受画面ｄ１においてキー操作の検出が行われ（ステップＳ３）、何れかのキー操作が検出されると（ステップＳ３；Ｙ）、操作されたキーはショートカットキー１７７、決定キー１７３の何れであるかが判別される（ステップＳ４）。
【００４６】
ショートカットキー１７７が操作された場合（ステップＳ４；ショートカットキー）、図５（ｂ）に示すようにＭアイコンｃ１に対応する音楽再生の操作メニューｍ１がＭアイコンｃ１からプルアップ表示される（ステップＳ５）。操作メニューｍ１は、図５（ｂ）に示すように、例えば音楽再生の停止、音量調整、再生トラック順の調整等の再生操作に係る複数の操作項目が選択的に表示されたものである。ユーザは、十字キー１７２の操作により操作項目を選択した後、決定キー１７３を操作することによりその操作項目による再生操作を指示することができる。なお、操作メニューｍ１の表示後、制御部８のクロック機能により操作メニューｍ１を表示してからの経過時間がカウントアップされる。
【００４７】
携帯電話機１ａでは、操作メニューｍ１がプルアップ表示された状態で当該操作メニューｍ１のうちの何れかの操作項目を選択するキー操作がなされたか否かが検出される（ステップＳ６）。キー操作がなされた場合（ステップＳ６；Ｙ）、そのキー操作により選択された操作項目の操作内容に応じた再生制御コマンドが制御部８により生成され、メディア処理部１４に出力される（ステップＳ７）。メディア処理部１４では、再生制御コマンドに従って音楽再生の停止やトラック制御等の処理が実行される。その後、制御部８の制御により操作メニューｍ１のプルアップ表示を終了して非表示とされると（ステップＳ８）、ステップＳ２の処理へ移行する。
【００４８】
一方、操作メニューｍ１におけるキー操作が検出されずに（ステップＳ６；Ｎ）、制御部８によりカウントアップされた操作メニューｍ１表示からの経過時間が、所定時間に達した場合（ステップＳ９；Ｙ）、制御部８により操作メニューｍ１のプルアップ表示を終了し、非表示とされて（ステップＳ８）、ステップＳ２の処理へ移行する。
【００４９】
次に、ステップＳ４において、待受画面ｄ１上で操作されたキーが決定キー１７３であった場合（ステップＳ４；決定キー）について説明する。Ｍアイコンｃ１が表示された状態で決定キー１７３が操作された場合、制御部８の制御により、図５（ｃ）に示すメニュー画面ｄ３がメイン表示部１９０に表示され、メニュー画面ｄ３上にＭアイコンｃ１が表示される（ステップＳ１０）。メニュー画面ｄ３では、図示しないが各種動作モードの項目が選択的に一覧表示されている。ユーザはこの一覧において十字キー１７２の操作により動作モードを選択し、決定キー１７３の操作により選択した動作モードの実行を指示することができる。
【００５０】
携帯電話機１ａでは、制御部８によりこのメニュー画面ｄ３においてキー操作の検出が行われ（ステップＳ１１）、何れかのキー操作が検出されると（ステップＳ１１；Ｙ）、操作されたキーはショートカットキー１７７、決定キー１７３の何れであるかが判別される（ステップＳ１２）。
【００５１】
操作されたキーが十字キー１７２、決定キー１７３であった場合（ステップＳ１２；Ｙ）、制御部８の制御により、十字キー１７２、決定キー１７３により選択操作された動作モードのアプリケーションプログラムが起動されるとともに、この動作モードにおいて表示する次の操作画面において、Ｍアイコンｃ１を表示するエリアが充分に確保されるか否かが判別される（ステップＳ１３）。
【００５２】
エリアが確保されているか否かの判断は、予め各動作モードの操作画面毎にＭアイコンｃ１の表示エリアが確保できる場合には表示を許可し、表示エリアが確保できない場合には表示を許可しないことを定めたテーブルを作成してプログラムメモリ１３に記憶しておき、制御部８においてそのテーブルを用いて、次に表示する操作画面においてＭアイコンｃ１を表示可能なエリアが確保されているか否かを判別する。
【００５３】
例えば、環境設定を行うための設定モードの操作画面の場合、操作画面下部に空きエリアがあるので、Ｍアイコンｃ１の表示を許可することを示すフラグをテーブルに記憶しておき、メールモードのメール入力画面に対しては、メール入力画面上にＭアイコンｃ１が表示されているとメール文入力の障害となるため、Ｍアイコンｃ１の表示を不許可とすることを示すフラグをテーブルに記憶しておく。制御部８では、このテーブルの許可／不許可のフラグに基づき、設定メニューの操作画面ではＭアイコンｃ１の表示エリアは確保されていると判別し、メールモードにおけるメール入力画面ではＭアイコンｃ１の表示エリアは確保されていないと判別する。
【００５４】
そして、制御部８により次に表示する操作画面上においてＭアイコンｃ１の表示エリアが確保されると判別された場合（ステップＳ１３；Ｙ）、図６（ａ）に示すように、選択された動作モードに対応する操作画面ｄ４が制御部８の制御によりメイン表示部１９０上に表示され、当該操作画面上にＭアイコンｃ１が表示される（ステップＳ１４）。
【００５５】
一方、Ｍアイコンｃ１の表示エリアが確保されないと判別された場合（ステップＳ１３；Ｎ）、図６（ｂ）に示すように、選択された動作モードに対応する操作画面ｄ５がメイン表示部１９０上に表示される（ステップＳ１５）。このとき、Ｍアイコンｃ１は非表示されている。この状態でユーザがＭアイコンｃ１を表示させたい場合には、ショートカットキー１７７を操作する。
【００５６】
携帯電話機１ａでは、制御部８において操作画面ｄ５においてショートカットキー１７７が操作されたか否かが検出され（ステップＳ１６）、ショートカットキー１７７の操作が検出されない場合（ステップＳ１６；Ｎ）、起動した動作モードに対応する処理に移行する。一方、ショートカットキー１７７の操作が検出された場合（ステップＳ１６；Ｙ）、制御部８の制御により、図６（ｃ）に示すように、Ｍアイコンｃ１が非表示とされていた操作画面ｄ５上にＭアイコンｃ１が表示される（ステップＳ１７）。
【００５７】
このように、選択された動作モードの操作画面上でＭアイコンｃ１が表示されると、当該操作画面上でキー操作が検出されたか否かが判別され（ステップＳ１８）、キー操作が検出されると（ステップＳ１８；Ｙ）、操作されたキーがショートカットキー１７７又は他のキーの何れであるかが判別される（ステップＳ１９）。他のキーである場合（ステップＳ１９；他のキー）、その操作されたキーに対応する処理に移行する。一方、ショートカットキー１７７である場合には（ステップＳ１９；ショートカットキー）、ステップＳ５の処理へ移行する。
【００５８】
以上のように、第１実施形態によれば、Ｍアイコンｃ１の表示により他の動作モード中であっても音楽再生中であることをユーザは容易に把握することができる。
また、操作画面上におけるＭアイコンｃ１の表示エリアの確保ができる場合のみ、Ｍアイコンｃ１を表示するよう制御するので、メール入力画面等、Ｍアイコンｃ１の常時表示がユーザの操作の妨げになるような場合にはＭアイコンｃ１を非表示とすることができる。よって、操作性を考慮した表示制御を行うことができる。
【００５９】
さらに、Ｍアイコンｃ１が非表示とされた場合であっても、ショートカットキー１７７の操作により操作画面上に表示させることができ、必要に応じてＭアイコンｃ１の表示／非表示を容易に切り替えることが可能となる。
【００６０】
また、Ｍアイコンｃ１には音楽操作に係る操作メニューｍ１が対応付けられており、Ｍアイコンｃ１が表示された状態でショートカットキー１７７を操作することにより、操作メニューｍ１がプルアップ表示される。よって、他の動作モード中であっても操作メニューｍ１からの簡易な操作でバックグラウンドに流れる音楽の再生に係る指示操作等を行うことができ、操作性が非常に良い。
【００６１】
〈第２実施形態〉
第２実施形態では、ＴＶ放送の映像及び音の再生（以下、ＴＶ再生という）を行いながら他の動作モードを起動している場合に、他の動作モードの操作画面上においてＴＶ再生中であることを示すＴＶアイコンを表示し、このＴＶアイコンにより他の動作モード中であってもＴＶ再生に係る指示操作を行うことを可能とする例を説明する。
【００６２】
第２実施形態における携帯電話機は、第１実施形態の携帯電話機１ａに地上波デジタルＴＶ放送の受信機能を付加したものであり、その外観は第１実施形態における携帯電話機１ａ（図１、図２参照）と同一である。よって、第２実施形態における携帯電話機の外観図は省略するとともに、第１実施形態と同一の機能的構成については同一の符号を付してその説明を省略し、異なる機能的構成についてのみ説明する。
【００６３】
図７は、第２実施形態における携帯電話機１ｂの機能的構成を示す図である。携帯電話機１ｂは第１実施形態の携帯電話機１ａの構成に加えて、地上波デジタルＴＶ放送の受信に係る構成としてＴＶ用アンテナ２４、チューナ２５、ＯＦＤＭ復調処理部２６を備えている。地上波デジタル放送は、複数の電波を多重化して送受信することが可能なＯＦＤＭ（Orthogonal Frequency Division Multiplexing：直交周波数分割多重方式）が利用され、複数の電波が多重化されたものである。
【００６４】
ＴＶ用アンテナ２４は、ユーザにより選局された放送局のチャンネルに対応する周波数に同調し、当該周波数の放送信号（ＯＦＤＭ変調信号）を受信してチューナ２５に出力する。
【００６５】
チューナ２５は、受信したＯＦＤＭ変調信号をＡ／Ｄ変換し、得られた放送データに対し、同期処理、ＦＥＴ（Fast Fourier Transform）演算、誤り訂正処理を実行することにより、Ｈ．２６４規格により映像信号及び音声信号が圧縮されたＴＳ（Transport Stream：トランスポート・ストリーム）を抽出する。なお、ＴＳを抽出するまでの各処理は公知技術であるため省略する。本実施形態では、１セグメント放送用（Ｈ．２６４方式で符号化されたもの）、１３セグメント放送用（ＭＰＥＧ−２ＴＳで符号化されたもの）の両方の放送データを受信することが可能である。
【００６６】
ＯＦＤＭ復調処理部２６は、チューナ２５により抽出されたＴＳから映像データ、音声データを分離し、その映像データ及び音声データをそれぞれ復号する。復号はＭＰＥＧ等の符号化方式に対応する復号方式で行う。
【００６７】
ＴＶ再生時には、制御部８の制御に従って、ＯＦＤＭ復調処理部２６により復号されて生成された映像データがドライバ１８を介してメイン表示部１９０により表示され、同じく復号により生成された音声データがメディア処理部１４、ＡＭＰ１５を介してスピーカ１６１、１６２により音出力される。
【００６８】
次に、上記携帯電話機１ｂの動作について説明する。
図８は、携帯電話機１ｂにより実行される表示制御処理を説明するフローチャートである。この表示制御処理は、制御部８とプログラムメモリ１３に記憶されている表示制御プログラムとの協働により実現されるソフトウェア処理である。
説明の前提として、この表示制御処理はＴＶ視聴モードによりＴＶ再生処理を開始した後に実行され、処理の開始時には既に受信されたＴＶ映像がメイン表示部１９０上に再生表示されているとともに、当該映像表示に合わせてスピーカ１６１、１６２又はイヤホン２３３、２３４によりＴＶ音が再生出力されているものとする。
【００６９】
図８に示す表示制御処理では、キー入力部１７から入力される操作信号に基づき、制御部８においてＴＶ視聴モードによるＴＶ再生中にモードキー１７６が操作されたか否か、その操作の有無が判別される（ステップＳ１０１）。そして、モードキー１７６が操作されると（ステップＳ１０１；Ｙ）、制御部８の制御により、ＴＶ再生が継続されながら、メイン表示部１９０上に図９（ａ）に示す待受画面ｄ１が表示され、この待受画面ｄ１上にＴＶアイコンｃ２が表示される（ステップＳ１０２）。このＴＶアイコンｃ２は現在ＴＶ再生中であることを示す指標表示であり、予めＴＶ再生の操作に係る操作メニューが対応付けられている操作用のアイコンである。
【００７０】
次に、制御部８においてこの待受画面ｄ１においてキー操作の検出が行われ（ステップＳ１０３）、何れかのキー操作が検出されると（ステップＳ１０３；Ｙ）、操作されたキーはショートカットキー１７７、決定キー１７３の何れであるかが判別される（ステップＳ１０４）。
【００７１】
ショートカットキー１７７が操作された場合（ステップＳ１０４；ショートカットキー）、制御部８により現在受信されているＴＶ映像（複数のフレーム画像からなる）の中から任意のフレーム画像が抽出され（ステップＳ１０５）、メディア処理部１４に出力される。メディア処理部１４では、当該フレーム画像の縮小処理が行われ、その縮小画像はドライバ１９に転送される（ステップＳ１０６）。
【００７２】
また、制御部８の制御により、図９（ｂ）に示すようにＴＶアイコンｃ２に対応するＴＶ再生の操作メニューｍ２がＴＶアイコンｃ２からプルアップ表示される。操作メニューｍ２内には、図９（ｂ）に示すように選局の操作項目ｍ２２が表示されるとともに、サブ画面領域ｍ２１が制御部８により形成されており、このサブ画面ｍ２１にドライバ１９に転送された縮小画像が表示されている（ステップＳ１０７）。なお、操作メニューｍ２はこれに限らず、例えばＴＶ再生の再生、停止、音量調整等の再生操作に係る複数の操作項目が選択的に表示されたもの等であってもよい。また、録画機能が搭載されている場合には録画の操作項目を操作メニューｍ２内に含めることとしてもよい。
【００７３】
ユーザは、十字キー１７２の操作により操作項目を選択した後、決定キー１７３を操作することによりその操作項目による再生操作を指示することができる。なお、操作メニューｍ２の表示後、制御部８のクロック機能により操作メニューｍ２を表示してからの経過時間がカウントアップされる。
携帯電話機１ｂでは、操作メニューｍ２がプルアップ表示された状態で当該操作メニューｍ２のうちの何れかの操作項目を選択するキー操作がなされたか否かが検出される（ステップＳ１０８）。キー操作がなされた場合（ステップＳ１０８；Ｙ）、そのキー操作により選択された操作項目の操作内容に応じた再生制御コマンドが制御部８により生成され、チューナ２５、ＯＦＤＭ復調処理部２６、メディア処理部１４等のＴＶ再生に係る各部に出力される（ステップＳ１０９）。
【００７４】
再生制御コマンドが入力された各部ではその再生制御コマンドに従った処理が実行される。例えばチューナ２５では受信局変更の再生制御コマンドに従って指定された放送局のチャンネルに対応する周波数信号に同調し、そのＴＶ放送に係るＤＦＤＭ変調信号の受信が行われる。その後、制御部８の制御により、操作メニューｍ２のプルアップ表示を終了して非表示とされると（ステップＳ１１０）、ステップＳ１０２の処理へ移行する。
【００７５】
一方、操作メニューｍ２におけるキー操作が検出されずに（ステップＳ１０８；Ｎ）、制御部８によりカウントアップされた操作メニューｍ２表示からの経過時間が、所定時間に達した場合（ステップＳ１１１；Ｙ）、制御部８の制御により操作メニューｍ２のプルアップ表示を終了し、非表示とされて（ステップＳ１１０）、ステップＳ１０２の処理へ移行する。
【００７６】
次に、ステップＳ１０４において、待受画面ｄ１上で操作されたキーが決定キーであった場合について説明する。ＴＶアイコンｃ２が表示された状態で決定キー１７３が操作された場合（ステップＳ１０４；決定キー）、制御部８の制御により、メニュー画面がメイン表示部１９０に表示され、メニュー画面上にＴＶアイコンｃ２が表示される（ステップＳ１１２）。メニュー画面は図５（ｃ）に示したメニュー画面例においてＭアイコンｃ１をＴＶアイコンｃ２に置き換えたものと同一である。メニュー画面ｄ３では、図示しないが各種動作モードの項目が選択的に一覧表示されており、ユーザは十字キー１７２の操作により動作モードを選択し、決定キー１７３の操作により選択した動作モードの実行を指示することができる。
【００７７】
携帯電話機１ｂでは、制御部８によりこのメニュー画面ｄ３においてキー操作の検出が行われ（ステップＳ１１３）、何れかのキー操作が検出されると（ステップＳ１１３；Ｙ）、操作されたキーはショートカットキー１７７、決定キー１７３の何れであるかが判別される（ステップＳ１１４）。
【００７８】
操作されたキーが十字キー１７２、決定キー１７３であった場合（ステップＳ１１４；Ｙ）、制御部８の制御により、十字キー１７２、決定キー１７３により選択操作された動作モードのアプリケーションプログラムが起動されるとともに、この動作モードにおいて表示する次の操作画面において、ＴＶアイコンｃ２を表示するエリアが充分に確保されるか否かが判別される（ステップＳ１１５）。
【００７９】
エリアが確保されているか否かの判断は、第１実施形態における判断内容と同一であるので、ここでは詳細な説明を省略する。
【００８０】
そして、制御部８により次に表示する操作画面上においてＴＶアイコンｃ２の表示エリアが確保されると判別された場合（ステップＳ１１５；Ｙ）、選択された動作モードに対応する操作画面がメイン表示部１９０上に表示され、当該操作画面上にＴＶアイコンｃ２が表示される（ステップＳ１１６）。この操作画面は図６（ａ）に示した操作画面例においてＭアイコンｃ１をＴＶアイコンｃ２に置き換えたものと同一である。
【００８１】
一方、ＴＶアイコンｃ２の表示エリアが確保されないと判別された場合（ステップＳ１１５；Ｎ）、図６（ｂ）に示すように、選択された動作モードに対応する操作画面ｄ５がメイン表示部１９０上に表示される（ステップＳ１１７）。このとき、ＴＶアイコンｃ２は非表示されている。この状態でユーザがＴＶアイコンｃ２を表示させたい場合には、ショートカットキー１７７を操作する。
【００８２】
携帯電話機１ｂでは、操作画面ｄ５においてショートカットキー１７７が操作されたか否かが検出され（ステップＳ１１８）、ショートカットキー１７７の操作が検出されない場合（ステップＳ１１８；Ｎ）、起動した動作モードに対応する処理に移行する。一方、ショートカットキー１７７の操作が検出された場合（ステップＳ１１８；Ｙ）、制御部８の制御により、操作画面上にＴＶアイコンｃ２が表示される（ステップＳ１１９）。この操作画面は図６（ｃ）に示した操作画面（メール入力画面）例においてＭアイコンｃ１をＴＶアイコンｃ２に置き換えたものと同一である。
【００８３】
このように、選択された動作モードの操作画面上でＴＶアイコンｃ２が表示されると、当該操作画面上でキー操作が検出されたか否かが判別され（ステップＳ１２０）、キー操作が検出されると（ステップＳ１２０；Ｙ）、操作されたキーがショートカットキー１７７又は他のキーの何れであるかが判別される（ステップＳ１２１）。他のキーである場合（ステップＳ１２１；他のキー）、その操作されたキーに対応する処理に移行する。一方、ショートカットキー１７７である場合には（ステップＳ１２１；ショートカットキー）、ステップＳ１０７の処理へ移行する。
【００８４】
以上のように、第２実施形態によれば、ＴＶアイコンｃ２の表示により他の動作モード中であってもＴＶ再生中であることをユーザは容易に把握することができる。
また、操作画面上におけるＴＶアイコンｃ２の表示エリアの確保ができる場合のみ、表示するよう制御するので、メール入力画面等、ＴＶアイコンｃ２の常時表示がユーザの操作の妨げになるような場合にはＴＶアイコンｃ２を非表示とすることができる。よって、操作性を考慮した表示制御を行うことができる。
【００８５】
さらに、ＴＶアイコンｃ２が非表示とされた場合であっても、ショートカットキー１７７の操作により操作画面上に表示させることができ、必要に応じてＴＶアイコンｃ２の表示／非表示を容易に切り替えることが可能となる。
【００８６】
また、ＴＶアイコンｃ２には音楽操作に係る操作メニューｍ１が対応付けられており、ＴＶアイコンｃ２が表示された状態でショートカットキー１７７を操作することにより、操作メニューｍ２がプルダウン表示される。よって、他の動作モード中であっても操作メニューｍ２からの簡易な操作でＴＶ放送に係る指示操作等を行うことができ、操作性が非常に良い。
【００８７】
さらに、操作メニューｍ２においてサブ画面領域ｍ２１が形成され、このサブ画面上に現在受信中のＴＶ映像の静止画が表示されるので、ユーザは操作メニューｍ２により各放送局のチャンネルで放送中の映像を確認しながら選局操作を行うことができ、利便性が高い。また、選局に限らず、他の動作モード中にＴＶ映像を確認したくなった場合等にも操作メニューｍ２を呼び出すことにより容易にＴＶ映像を確認することができる。
【００８８】
なお、上記実施形態は本発明を適用した好適な一例であって、これに限定されない。
例えば、上記実施形態では携帯電話機を例に説明したが、音楽再生モード又はＴＶ再生を含む複数の動作モードの並行処理が可能な携帯通信端末であれば、ＰＤＡ（Personal Digital Assistant）等にも適用可能である。
また、第２実施形態では、ＴＶ放送の映像及び音の再生を行う場合を説明したが、録画した映像及び音の再生時にも同様に本発明を適用することができる。
【図面の簡単な説明】
【００８９】
【図１】第１実施形態における携帯電話機の外観図である。
【図２】（ａ）は携帯電話機の正面図、（ｂ）は側面図、（ｃ）は背面図である。
【図３】第１実施形態における携帯電話機の機能的構成を示す図である。
【図４】第１実施形態における携帯電話機により実行される表示制御処理を説明するフローチャートである。
【図５】図３のメイン表示部上に表示される各種画面例を示す図である。
【図６】図３のメイン表示部上に表示される各種画面例を示す図である。
【図７】第２実施形態における携帯電話機の機能的構成を示す図である。
【図８】第２実施形態における携帯電話機により実行される表示制御処理を説明するフローチャートである。
【図９】図７のメイン表示部上に表示される各種画面例を示す図である。
【符号の説明】
【００９０】
１ａ、１ｂ  携帯電話機
２  アンテナ
３  無線部
４  無線処理部
８  制御部
１１  システムメモリ
１３  プログラムメモリ
１４  メディア処理部
１７  キー入力部
１７６  モードキー
１７７  ショートカットキー
１９０  メイン表示部
２３  リモコン
２５  チューナ
２６  ＯＦＤＭ復調処理部
ｃ１  ショートカットアイコン
【図１】
0004458022.tif 000002
【図２】
0004458022.tif 000003
【図３】
0004458022.tif 000004
【図４】
0004458022.tif 000005
【図５】
0004458022.tif 000006
【図６】
0004458022.tif 000007
【図７】
0004458022.tif 000008
【図８】
0004458022.tif 000009
【図９】
0004458022.tif 000010